(57)【要約】【課題】  リキッドファンデーションを吸い込まず、肌へのつき及び延びに優れ、指先で延ばしているのと同等以上の感触、ぼかしやすさ、仕上がりをもつパフの提供を目的とする。【解決手段】  表面にエンボス加工を施した伸縮性フィルム内にゲル素材を包み込んでなることを特徴とする。【選択図】  図１
2005177163.tif 000002
【特許請求の範囲】
【請求項１】
表面にエンボス加工を施した伸縮性フィルム内にゲル素材を包み込んでなる化粧用パフ。
【請求項２】
エンボス加工は、伸縮性フィルムの表面に凹部を多数形成してなる凹エンボスである請求項１記載の化粧用パフ。
【請求項３】
ゲル素材を接着膜で包み込んだうえに伸縮性フィルムで包んである請求項１又は請求項２記載の化粧用パフ。
【請求項４】
伸縮性フィルムがポリウレタン製である請求項１〜３のいずれかに記載の化粧用パフ。
【請求項５】
ゲル素材がポリウレタンゲルである請求項４記載の化粧用パフ。
【発明の詳細な説明】
【技術分野】
【０００１】
本発明は、ファンデーション用のパフに関する。
【背景技術】
【０００２】
現在、ファンデーション用のパフとしてはスポンジパフが主流であるが、このスポンジパフは、パウダー状のパウダリーファンデーションに用いるには適していても、乳液状のリキッドファンデーションに対しては、吸い込みの問題があって適しているとは言えない。すなわち、リキッドファンデーションは液状でスポンジパフとの親和性が強いのでスポンジ内部へ吸い込まれてしまい、たとえファンデーションを多めにとったとしても肌へのつきも延びも悪い。
【０００３】
そこで、液体が浸透しない素材を表面に塗布するなど表面処理をしたり、特許文献１のような特殊加工を行ったりするなどの工夫が施されている。
【０００４】
【特許文献１】特開平９−１６４０１７号公報
【０００５】
しかし、いずれも満足のいく効果は得られておらず、現在までのところ、リキッドファンデーションに関して指先での塗布に勝るパフは発案されていない。
【発明の開示】
【発明が解決しようとする課題】
【０００６】
このような従来技術に鑑みて本発明は、リキッドファンデーションを吸い込まず、肌へのつき及び延びに優れ、指先で延ばしているのと同等以上の感触、ぼかしやすさ、仕上がりをもつパフの提供を目的とする。
【課題を解決するための手段】
【０００７】
指先でのリキッドファンデーション塗布を考察してみたところ、指紋という表面の凹凸（つまりエンボス加工）の存在が大きいことが知見された。すなわち、皮膚なのでスポンジのような吸い込み作用が無い一方、その皮膚にある指紋のくぼみにリキッドファンデーションが保持され、指先を滑らすことでこれが少しずつ放出されることにより均一な塗布が実現されている。また、指先の肉の弾力も圧力を分散させて均一にかけることでムラの無い塗布に貢献している。
【０００８】
したがって、肉同等の弾力、そして皮膚同様に吸い込み作用の無い素材に表面の指紋（エンボス加工）を再現することができれば、指先と同等以上の機能をもった化粧用パフを提供することができる。
【０００９】
そこで本発明では、表面にエンボス加工を施した伸縮性フィルム内にゲル素材を包み込んでなる化粧用パフを提供する。その伸縮性フィルムとしては、天然／合成ゴム、樹脂、不透性不織布、合成皮革等が使用可能であるが、中でもポリウレタンが皮膚の役割に近い伸縮性と柔らかさで適している。また、ゲル素材としては、寒天、こんにゃく、ゼラチンなどのヒドロゲルや、シリコンゲル、ポリウレタンゲル、スチレンゲルなどのオルガノゲルを使用することができる。このようなゲル素材は、指先に似た弾性感を生むうえで好ましい。これら伸縮性フィルム及びゲル素材については、特開平６−２５３９２７号に詳しい。
【００１０】
伸縮性フィルムに施すエンボス加工は、フィルム表面に凸部を多数形成してなる凸エンボスよりも、フィルム表面に凹部を多数形成してなる凹エンボスのほうが、肌の当たり感に優れ、より均一塗布ができて好ましい。
【発明の効果】
【００１１】
本発明の化粧用パフによれば、外皮となる伸縮性フィルム表面のエンボス加工が指紋同様の働きをし、そしてゲル素材が肉同様の弾力を生むので、指先同様の塗布作用を得ることができる。さらに、当該パフは指先よりも広い塗布面積及び力の分散効果をもたせることができるので、よりいっそうムラの無い優れた均一塗布を得ることが可能である。
【発明を実施するための最良の形態】
【００１２】
図１及び図２に、本発明に係る化粧用パフの実施形態を斜視図と断面図で示している。図２は、図１中のＡ−Ａ’断面でみたものである。
【００１３】
このパフ１は、一例として正方形とした伸縮性フィルム２でゲル素材３を包み込んだ構造を有し、そのフィルム２の表面には指紋状のエンボス加工２ａが施されている。
【００１４】
フィルム２は、ポリウレタン製で厚み３０〜１２０μｍの薄膜からなり、その四辺２ｂを熱溶着等により密封することでゲル素材３を内部に封じ込めている。また表面のエンボス加工２ａは、図３Ｂに示すごとく表面に凹部を形成することで凹エンボスとして作成されている。
【００１５】
ゲル素材３は、２液型のポリウレタンゲルからなり、本例では厚み３０〜１２０μｍの接着膜４により包み込んで封止したうえで、フィルム２内に収容されている。これにより、ゲル素材３の漏れが確実に防止され、さらに、接着膜４の接着性によりフィルム２の内壁へ密着するので、フィルム２とゲル素材３とのずれによるしわ、よじれが防止される。
【００１６】
このようなパフ１は、リキッドファンデーションに使用した場合、フィルム２がポリウレタン製なので、スポンジのように液を吸い込むことがない。すなわち、図３に示すようにファンデーションＦＤは、フィルム２の表面に形成されたエンボス加工２ａの凹部内に保持されるだけであり、それ以上内部に吸い込まれることはない。図３は、リキッドファンデーションＦＤの保持状態を説明した図で、図３Ａが凸エンボスの場合、図３Ｂが凹エンボスの場合を説明している。
【００１７】
ここで、両者の違いについて説明する。図３Ａに示すように、フィルム２の表面に凸部を形成して凸エンボスとしたエンボス加工２ａの場合、肌に当てたときに、その凸部がつぶれる状態となる。このため比較的肌当たり感が悪く、保持されていたファンデーションＦＤは凸部がつぶれることによって一気に流れ出てしまうので、筋になりやすい。これに対し、図３Ｂに示すように、フィルム２の表面に凹部を形成して凹エンボスとしたエンボス加工２ａの場合、肌に当たるのは平面となるので肌当たりが良好となり、保持されているファンデーションＦＤは、凹部の底からかかる圧力に応じて徐々に放出されていくので、筋にならず均一に塗布される。したがって、図３Ｂのように凹エンボスとするほうが好ましい。
【００１８】
本例のようなゲル素材３を伸縮性フィルム２で包み込んでなるパフ１は、図４に示すように、肌に加わる圧力の均一性、これによる肌の引っ張り防止効果の点でも、スポンジパフと比較して優れている。図４Ａはスポンジパフ１０を指の先端で肌Ｓに押し当てたときの説明図、図４Ｂは本例のパフ１を同じく指の先端で肌Ｓに押し当てたときの説明図である。図示のように、スポンジパフ１０の場合、指先端からの圧力は集中的に肌Ｓへかかり、このため肌に引っ掛かり肌を引っ張ってしまうことで、筋になりやすく、ムラ付きの原因となる。一方、図４Ｂに示す本例のパフ１の場合、中身がゲル状であることから水枕のごとく作用して圧力が分散され、肌への接触面積はほぼ倍、肌にかかる圧力は約半分となり、均一に力を加えられるので、スポンジのような引っ掛かりがなくなる。したがって、ムラ付きを防止して仕上がりの均一性を向上させられる。
【図面の簡単な説明】
【００１９】
【図１】本発明による化粧用パフの実施形態を示す斜視図。
【図２】図１のＡ−Ａ’断面でみた断面図。
【図３】本発明による化粧用パフのエンボス加工についての説明図。
【図４】従来のスポンジパフと本発明のパフとの圧力分散効果を比較して示した説明図。
【符号の説明】
【００２０】
１  化粧用パフ
２  伸縮性フィルム
２ａ  エンボス加工
３  ゲル素材
４  接着膜
【図１】
2005177163.tif 000003
【図２】
2005177163.tif 000004
【図３】
2005177163.tif 000005
【図４】
2005177163.tif 000006